(57)【要約】【課題】二種類の所定コインに確実に対応でき、スムーズに、安定的に作動でき、使い勝手に優れ、構成簡素で、小型コンパクトで、耐久性に優れ、量産に適し、経済的で、種々のサービスに最適で、興趣に富むサービスが可能なコイン投入装置を提供する。【解決手段】  ケースと回転シャフト６とコイン収容回転盤９と揺動部材１０とを備え、コイン収容回転盤９には、第一収容部３５と第二収容部３６と回転阻止用突起３８とを形成し、揺動部材１０には、第一段部４０と第二段部４１とを設け、所定の小径コインは、一つのコイン投入口２０から第一収容部３５に収まり、第一段部４０に摺接しながら揺動部材１０を所定量揺動させ、回転阻止用突起３８が揺動部材１０に当接しないよう構成し、所定の大径コインは、第二収容部３６に収まり、第二段部４１に摺接しながら揺動部材１０を所定量揺動させ、回転阻止用突起３８が揺動部材１０に当接しないよう構成する。【選択図】図２
2006244210.tif 000002
【特許請求の範囲】
【請求項１】
適宜カプセルに夫々収納されている複数種類の適宜商品等を、一個宛或いは複数個宛無作為に取出せるように構成されている自動販売機等のコイン投入装置であって、自動販売機等に装着されるコイン投入装置のケースと、このケース前方に突出するよう回転自在に装着されると共に、その前端部分に回転用摘みが固着される回転シャフトと、この回転シャフトに固定されると共にケースに内装されるコイン収容回転盤と、ケース内に揺動自在に装着される揺動部材とを備え、コイン収容回転盤には、その厚み方向一方となる前面がわに切設される小径コイン用の第一収容部と、この第一収容部に一部が重なると共に、厚み方向他方となる後面がわに切設される大径コイン用の第二収容部と、この第二収容部及び第一収容部近傍の外周部分に突設される回転阻止用突起とを形成し、揺動部材には、その厚み方向一方となる前面がわに切設される小径コイン用の第一段部と、厚み方向他方となる後面がわに切設される大径コイン用の第二段部とを設け、ケースに設けた一つのコイン投入口から投入された所定の小径コインは、コイン収容回転盤の第一収容部に収まり、小径コインの外周部分が回転シャフトの回転に従って揺動部材の第一段部に摺接しながら揺動部材を所定量揺動せしめて、後続の回転阻止用突起が揺動部材に当接することがないように構成し、コイン投入口から投入された所定の大径コインは、コイン収容回転盤の第二収容部に収まり、大径コインの外周部分が回転シャフトの回転に従って揺動部材の第二段部に摺接しながら揺動部材を所定量揺動せしめて、後続の回転阻止用突起が揺動部材に当接することがないように構成したことを特徴とするカプセル入玩具用自動販売機のコイン投入装置。
【請求項２】
コイン投入口から投入された所定の小径コインが、コイン収容回転盤の第一収容部に収まった状態、或いは、コイン投入口から投入された所定の大径コインが、コイン収容回転盤の第二収容部に収まった状態を維持する第一コイン圧迫手段を設けたことを特徴とする請求項１記載のカプセル入玩具用自動販売機のコイン投入装置。
【請求項３】
コイン収容回転盤の第一収容部に収まった状態で、且つ小径コインの外周部分が回転シャフトの回転に従って揺動部材の第一段部に摺接しながら揺動部材を所定量揺動せしめている状態、或いは、コイン収容回転盤の第二収容部に収まった状態で、且つ大径コインの外周部分が回転シャフトの回転に従って揺動部材の第二段部に摺接しながら揺動部材を所定量揺動せしめている状態を維持する第二コイン圧迫手段を設けたことを特徴とする請求項１または請求項２記載のカプセル入玩具用自動販売機のコイン投入装置。
【請求項４】
ケースに返却用作動体を装着し、所定寸法以外のコイン等がコイン投入口から投入されたときに、返却用作動体の押圧操作によって、所定寸法以外のコイン等を返却口に送れるような返却手段を設けたことを特徴とする請求項１または請求項２または請求項３記載のカプセル入玩具用自動販売機のコイン投入装置。
【請求項５】
ケースに、返却用作動体と、前がわコイン制御板と、後がわコイン制御板とを装着し、前がわコイン制御板は、返却用作動体に対して前後方向に摺動自在となるように形成し、後がわコイン制御板は、返却用作動体に固定し、磁着性のあるコイン等がコイン投入口から投入されたときに、後がわコイン制御板に付設した磁石の磁力によって前がわコイン制御板の前面がわに吸着せしめておけるように構成し、更に、返却用作動体の押圧操作によって、前がわコイン制御板と後がわコイン制御板との間隔が大きくなるように形成し、コイン等に対する磁石の磁力の低下によって、コイン等が落下して返却口に送れるように構成したことを特徴とする請求項１または請求項２または請求項３記載のカプセル入玩具用自動販売機のコイン投入装置。
【発明の詳細な説明】
【技術分野】
【０００１】
本発明は、例えば、略球体状となるようなカプセル内に夫々収納されている複数種類の適宜商品（例えば、玩具、その他）等を、コインの投入後の回転用摘みの回転操作によって、一個宛（或いは複数個宛）無作為に取出せるように構成されている自動販売機等のコイン投入装置であって、特に、幼児等を連れた家族が出かけたり或いは立ち寄るような、例えば、遊園地や、百貨店や、ファミリーレストランや、他の飲食店や、ガソリンスタンドや、各種イベント会場や、その他の適宜店舗等に設置されて、寸法の異なるニ種類のコイン（例えば、所定の硬貨と、この硬貨とサイズが異なり且つ店舗がわが予め用意しておいたオリジナルコイン）に夫々対応して作動させることができるように工夫したカプセル入玩具用自動販売機のコイン投入装置に関するものである。
【背景技術】
【０００２】
従来、この種のカプセル入玩具用自動販売機のコイン投入装置としては、例えば、特許文献１や、特許文献２に示すようなものが開示されている。
そして、これらのコイン投入口にあっては、一種類のコイン（例えば、１００円硬貨）のみを投入できるように構成されている。
また、特許文献３のような手動操作型自動販売機のコイン投入装置が提案されている。
これは、ケースの天面に異径の２枚のコイン投入口を設け、ケース内の略中央部にハンドルの操作によって回転する爪車を設け、爪車の周縁の一部に上記コイン投入口からそれぞれ落下するコインを受け止める２つのコイン嵌入凹部を設け、また、各々基端が回動自在に支持されて先端が揺動自在となるように取り付けられ、且つ、板ばねによってその先端部が各々爪車に押し付けられて、上記の２つのコイン嵌入凹部の両者に共にコインが投入されていない状態又は所定の径よりも小さい径の偽コインが入っている状態ではそれらコイン嵌入凹部の内部にその先端部を侵入させてその入口の縁に掛合することにより爪車をロックしてその回転を阻止し、且つ２つのコイン嵌入凹部の両者に共に所定の径を有するコインが入っている状態ではそれらコインの周縁に当接してコイン嵌入凹部の外側へ脱出した状態となってその先端部が嵌入凹部の入口の縁から外れることにより上記のロック状態を解消して爪車の回転を可能とする２枚の係止板を設けたものである。
【０００３】
【特許文献１】登録実用新案第３０３８９１２号
【特許文献２】特開２０００−２４５９５１
【特許文献３】登録実用新案第２５３８５４０号
【発明の開示】
【発明が解決しようとする課題】
【０００４】
ところが、前者のようなコイン投入装置にあっては、所定のコインより大きなコインは、コイン投入口に入らないため誤使用はないが、所定のコインより小さなコインは、コイン投入口に入ってしまうため、誤使用が生じると共に、一旦投入された誤使用のコインが簡単に返却できるようには構成されていない難点等があった。
しかも、一種類のコインだけしか利用できないため、使い勝手が悪いと共に、種々のサービスを提供するにしても興趣に乏しい等の難点もあった。
また、後者のようなコイン投入装置にあっては、ケースに異径の２枚のコインに対応する２つのコイン投入口を設けてあり、この２つのコイン投入口に間違えないように異径コインを投入しなければならない難点があった。特に、２枚の異径コインが極端に大きさの異なるものであれば、誤投入をある程度低減できるが、僅かな違いしかないものであれば、誤投入し易いものとなってしまい、返却、投入操作を繰り返さなければならない虞があった。
更に、夫々自在に揺動する２つの係止板を設けてあるため、爪車の２つのコイン嵌入凹部夫々に、所定のコインが収まっていないと爪車を回転させることができず、かなり面倒で、使い勝手が悪い難点等があった。
加えて、寸法形状が同じ鉄製のコインが投入された場合は、そのまま使用できるようになってしまう難点もあった。
【課題を解決するための手段】
【０００５】
そこで、本発明は、前述の如き難点等を解消し、所定のコインより小さなコインを誤使用した場合、この誤使用のコインが簡単に返却できるようにし、また、二種類のコインを利用できるように構成して、使い勝手に優れ、興趣に富んだ種々のサービスを提供できるようにし、更に、異径コインの大きさが、僅かな違いであっても、２つのコイン投入口に異径コインを間違えて投入してしまうような誤投入操作を解消でき、返却、投入操作を繰り返す虞がなく、取扱いが面倒で、使い勝手が悪い点を確実に解消し、加えて、寸法形状が同じ鉄製のコインが投入された場合でも、これを確実に検出できると共に、返却でき、しかも、構成が簡素で、耐久性に優れ、量産に適し、経済的で、カプセル入玩具用自動販売機に最適となるコイン投入装置を提供できるようにすべく創出されたものである。
【０００６】
しかして、請求項１記載のコイン投入装置にあっては、適宜カプセルに夫々収納されている複数種類の適宜商品等を、一個宛或いは複数個宛無作為に取出せるように構成されている自動販売機等のコイン投入装置であって、自動販売機等に装着されるコイン投入装置のケースと、このケース前方に突出するよう回転自在に装着されると共に、その前端部分に回転用摘み５が固着される回転シャフト６と、この回転シャフト６に固定されると共にケースに内装されるコイン収容回転盤９と、ケース内に揺動自在に装着される揺動部材１０とを備え、コイン収容回転盤９には、その厚み方向一方となる前面がわに切設される小径コイン用の第一収容部３５と、この第一収容部３５に一部が重なると共に、厚み方向他方となる後面がわに切設される大径コイン用の第二収容部３６と、この第二収容部３６及び第一収容部３５近傍の外周部分に突設される回転阻止用突起３８とを形成し、揺動部材１０には、その厚み方向一方となる前面がわに切設される小径コイン用の第一段部４０と、厚み方向他方となる後面がわに切設される大径コイン用の第二段部４１とを設け、ケースに設けた一つのコイン投入口２０から投入された所定の小径コインは、コイン収容回転盤９の第一収容部３５に収まり、小径コインの外周部分が回転シャフト６の回転に従って揺動部材１０の第一段部４０に摺接しながら揺動部材１０を所定量揺動せしめて、後続の回転阻止用突起３８が揺動部材１０に当接することがないように構成し、コイン投入口２０から投入された所定の大径コインは、コイン収容回転盤９の第二収容部３６に収まり、大径コインの外周部分が回転シャフト６の回転に従って揺動部材１０の第二段部４１に摺接しながら揺動部材１０を所定量揺動せしめて、後続の回転阻止用突起３８が揺動部材１０に当接することがないように構成する手段を採用した。
【０００７】
また、請求項２記載のコイン投入装置にあっては、コイン投入口２０から投入された所定の小径コインが、コイン収容回転盤９の第一収容部３５に収まった状態、或いは、コイン投入口２０から投入された所定の大径コインが、コイン収容回転盤９の第二収容部３６に収まった状態を維持する第一コイン圧迫手段を設ける手段を採用した。
【０００８】
更に、請求項３記載のコイン投入装置にあっては、コイン収容回転盤９の第一収容部３５に収まった状態で、且つ小径コインの外周部分が回転シャフト６の回転に従って揺動部材１０の第一段部４０に摺接しながら揺動部材１０を所定量揺動せしめている状態、或いは、コイン収容回転盤９の第二収容部３６に収まった状態で、且つ大径コインの外周部分が回転シャフト６の回転に従って揺動部材１０の第二段部４１に摺接しながら揺動部材１０を所定量揺動せしめている状態を維持する第二コイン圧迫手段を設ける手段を採用した。
【０００９】
そして、請求項４記載のコイン投入装置にあっては、ケースに返却用作動体７を装着し、所定寸法以外のコイン等がコイン投入口２０から投入されたときに、返却用作動体７の押圧操作によって、所定寸法以外のコイン等を返却口２１に送れるような返却手段を設ける手段を採用した。
【００１０】
それから、請求項５記載のコイン投入装置にあっては、ケースに、返却用作動体７と、前がわコイン制御板１２と、後がわコイン制御板１３とを装着し、前がわコイン制御板１２は、返却用作動体７に対して前後方向に摺動自在となるように形成し、後がわコイン制御板１３は、返却用作動体７に固定し、磁着性のあるコイン等がコイン投入口２０から投入されたときに、後がわコイン制御板１３に付設した磁石５０の磁力によって前がわコイン制御板１２の前面がわに吸着せしめておけるように構成し、更に、返却用作動体７の押圧操作によって、前がわコイン制御板１２と後がわコイン制御板１３との間隔が大きくなるように形成し、コイン等に対する磁石５０の磁力の低下によって、コイン等が落下して返却口２１に送れるように構成する手段を採用した。
【発明の効果】
【００１１】
従って、本発明の請求項１記載のコイン投入装置によれば、寸法の異なる二種類の所定のコイン（大径コイン、小径コイン）のどちらを一つのコイン投入口２０に投入しても、これらに確実に対応して、コイン投入装置をスムーズに且つ安定的に作動せしめられるようになり、取扱いが簡単で、使い勝手の優れたコイン投入装置となる。
【００１２】
しかも、構成が簡素で、比較的小型コンパクトに構成できるようになり、耐久性に優れ、量産に適し、経済的なものとなり、カプセル入玩具用自動販売機に最適なコイン投入装置となる。
【００１３】
特に、寸法の異なる二種類の所定のコイン（大径コイン、小径コイン）を使用できることにより、幼児等を連れた家族が出かけたり或いは立ち寄るような、遊園地や、百貨店や、ファミリーレストランや、他の飲食店や、ガソリンスタンドや、各種イベント会場や、その他の適宜店舗等にカプセル入玩具用自動販売機を設置すると共に、寸法の異なるニ種類のコインを、例えば、所定の硬貨（例えば、１００円硬貨）と、この硬貨とサイズが異なり且つ店舗がわが予め用意しておいたオリジナルの（専用の）コインとに夫々対応させて作動させることが可能となり、すると、店舗がわのサービスの一つとしてオリジナルのコインを提供するような販売戦略が実現できるようになる。ひいては、種々のサービスに最適で、興趣に富むサービスが提供可能なカプセル入玩具用自動販売機のコイン投入装置となる。
【００１４】
加えて、所定のコイン（大径コイン、小径コイン）より小さなコインをコイン投入口２０に誤って投入した場合や、所定のコイン（小径コイン）より大きなコインをコイン投入口２０に誤って投入した場合は、揺動部材１０に回転阻止用突起３８が当接して、コイン収容回転盤９の回転を確実に阻止できるようになる。尚、所定のコイン（大径コイン）より大きなコインは、一つのコイン投入口２０で規制されて、投入できないようになる。
更に、二種類の所定のコイン（大径コイン、小径コイン）の大きさが僅かな違いであっても、これを確実に検出でき、取扱い操作が簡単で、使い勝手の優れたコイン投入装置となる。
【００１５】
また、本発明の請求項２記載のコイン投入装置によれば、第一コイン圧迫手段によって、コイン投入口２０から投入された所定の小径コインは、コイン収容回転盤９の第一収容部３５に確実に収まるようになると共に、この収まった状態をコイン収容回転盤９がある程度回転する迄は確実に維持できるようになる。そして、コイン投入口２０から投入された所定の大径コインは、コイン収容回転盤９の第二収容部３６に確実に収まるようになると共に、この収まった状態をコイン収容回転盤９がある程度回転する迄は確実に維持できるようになる。ひいては、コイン投入装置の安定作動に役立つものとなる。
【００１６】
更に、本発明の請求項３記載のコイン投入装置によれば、第二コイン圧迫手段によって、所定の小径コインがコイン収容回転盤９の第一収容部３５に収まった状態や、所定の大径コインがコイン収容回転盤９の第二収容部３６に収まった状態を確実に維持できるようになると共に、小径コインの外周部分が揺動部材１０の第一段部４０に摺接しながら揺動部材１０を所定量揺動せしめている間、或いは大径コインの外周部分が揺動部材１０の第二段部４１に摺接しながら揺動部材１０を所定量揺動せしめている間は、前記状態を確実に且つ安定的に維持できるようになる。ひいては、コイン投入装置の安定作動に役立つものとなる。
【００１７】
そして、本発明の請求項４記載のコイン投入装置によれば、返却用作動体７の押圧操作によって、所定寸法以外のコイン（例えば、誤使用のコイン等）がコイン投入口２０から投入されたときや、投入した所定のコインを返却しなければならないとき等に、これらのコインを返却口２１に確実に、簡単に、且つスムーズに返却できるようになる。
【００１８】
それから、本発明の請求項５記載のコイン投入装置によれば、磁着性のあるコイン（例えば、鉄製のコイン等）がコイン投入口２０から投入されたときに、これがコイン収容回転盤９の第一収容部３５や第二収容部３６に収まるのを磁石５０の磁力によって確実に阻止でき、返却用作動体７の押圧操作によって、磁着性のあるコインを返却口２１に確実に、簡単に、且つスムーズに返却できるようになる。
【発明を実施するための最良の形態】
【００１９】
以下、本発明を図示例に基づいて説明すると、次の通りである。
本発明は、略球体状のカプセル内に夫々収納されている複数種類の適宜商品（例えば、玩具、ミニチュアフィギア、その他）等を販売（無償提供等も含む）するためのカプセル入玩具用自動販売機に付設されているコイン投入装置であって、寸法の異なる所定の二種類（小径、大径）のコイン(硬貨、オリジナルコイン、メダル等）と、これら以外のコインとを認識でき、所定のコインの投入後に回転用摘みを所定向きに回転操作することで、一個宛（或いは、複数個宛でも良い）無作為にカプセル入玩具を取出せるようにしたものである。
【００２０】
そして、このコイン投入装置を備えたカプセル入玩具用自動販売機は、主に、幼児等を連れた家族が出かけたり或いは立ち寄るような、例えば、遊園地や、百貨店や、ファミリーレストランや、他の飲食店や、ガソリンスタンドや、各種イベント会場や、その他の適宜店舗等に設置されるものである。
【００２１】
更に、本発明のコイン投入装置は、自動販売機等の正面（前面）に装着されるコイン投入装置のケースと、このケース前方に突出するよう回転自在に装着されると共に、その前端部分に回転用摘み５が固着される回転シャフト６と、ケースに装着される返却用作動体７と、ケースに装着されるコイン排出用押圧体８と、回転シャフト６に固定されると共にケースに内装されるコイン収容回転盤９と、ケース内に揺動自在に装着される揺動部材１０と、ケース内に揺動自在に装着される逆転防止爪片１１と、ケースに装着される前がわコイン制御板１２と、ケースに装着される後がわコイン制御板１３と、コイン押え１４とを備えたものである。
【００２２】
しかも、前記コイン収容回転盤９には、その厚み方向一方となる前面がわに切設される小径コイン用の第一収容部３５と、この第一収容部３５に一部（下部）が重なるよう厚み方向他方となる後面がわに切設される大径コイン用の第二収容部３６と、この第二収容部３６及び第一収容部３５近傍の外周部分に突設される回転阻止用突起３８とを形成してある。
【００２３】
そして、前記揺動部材１０には、その厚み方向一方となる前面がわに切設される小径コイン用の第一段部４０と、厚み方向他方となる後面がわに切設される大径コイン用の第二段部４１とが、その下部に設けられている。
【００２４】
すなわち、ケース上部に設けた一つのコイン投入口２０から投入された所定の小径コインは、コイン収容回転盤９の第一収容部３５に収まり、小径コインの外周部分が回転シャフト６の回転に従って揺動部材１０の第一段部４０に摺接しながら揺動部材１０を所定量揺動せしめて、後続の回転阻止用突起３８が揺動部材１０に当接することがないように構成されており、また、コイン投入口２０から投入された所定の大径コインは、コイン収容回転盤９の第二収容部３６に収まり、大径コインの外周部分が回転シャフト６の回転に従って揺動部材１０の第二段部４１に摺接しながら揺動部材１０を所定量揺動せしめて、後続の回転阻止用突起３８が揺動部材１０に当接することがないように構成されている。
【００２５】
加えて、コイン投入装置には、コイン投入口２０から投入された所定の小径コインが、コイン収容回転盤９の第一収容部３５に収まった状態、或いは、コイン投入口２０から投入された所定の大径コインが、コイン収容回転盤９の第二収容部３６に収まった状態を、維持できるような第一コイン圧迫手段が設けられている。
【００２６】
更に、コイン投入装置には、コイン収容回転盤９の第一収容部３５に収まった状態で、且つ小径コインの外周部分が回転シャフト６の回転に従って揺動部材１０の第一段部４０に摺接しながら揺動部材１０を所定量揺動せしめている状態、或いは、コイン収容回転盤９の第二収容部３６に収まった状態で、且つ大径コインの外周部分が回転シャフト６の回転に従って揺動部材１０の第二段部４１に摺接しながら揺動部材１０を所定量揺動せしめている状態を、維持できるような第二コイン圧迫手段が設けられている。
【００２７】
また、コイン投入装置には、所定寸法以外のコイン等がコイン投入口２０から投入されたときに、ケースに内装した返却用作動体７の押圧操作によって、所定寸法以外のコイン等を返却口２１に送れるように構成した返却手段が設けられている。
【００２８】
そして、ケースには、返却用作動体７と、前がわコイン制御板１２と、後がわコイン制御板１３とが装着されており、前がわコイン制御板１２は、返却用作動体７に対して前後方向に摺動自在となるように形成し、後がわコイン制御板１３は、返却用作動体７に固定し、磁着性のあるコイン等がコイン投入口２０から投入されたときに、後がわコイン制御板１３に付設した磁石５０の磁力によって前がわコイン制御板１２の前面がわに吸着せしめておけるように構成してある。
更に、返却用作動体７の押圧操作によって、前がわコイン制御板１２と後がわコイン制御板１３との間隔が大きくなるように形成し、コイン等に対する磁石５０の磁力の低下によって、コイン等が落下して返却口２１に送れるように構成されている。
【実施例】
【００２９】
前記ケースは、例えば、適宜合成樹脂材（或いは、適宜金属材や、適宜複合材でも良い）によって構成されており、前部ケース１と、この前部ケース１の後部に取付けられる後部ケース２と、この後部ケース２の後部に取付けられる後部取付盤３とで構成されている。
【００３０】
そして、前記前部ケース１は、例えば、上部に略横長矩形状の一つのコイン投入口２０が設けられ、下部に誤使用コイン等の返却口２１が設けられ、中央部に略円孔状のシャフト支持孔２２が設けられ、コイン投入口２０の稍下方に略楕円孔状のボタン挿通孔２３が設けられている。尚、コイン投入口２０は、所定の大径コインを越えるような寸法のコインが投入できないような寸法に形成され、更に、変形、摩耗し難くなるように金属補強等が施してあっても良い。
【００３１】
前記後部ケース２は、例えば、取付ネジ等によって前部ケース１後部に固定され、上部後面にコイン投入口２０に連通してコインをコイン収容回転盤９の第一収容部３５や第二収容部３６にスムーズに導くようなコイン案内路が形成され、下部後面に返却口２１に連通してコインを返却口２１にスムーズに導くようなコイン案内路が形成され、中央部に略円孔状のシャフト支持孔が設けられ、このシャフト支持孔の稍上方に略小円孔状の突出し杆出没孔３４が設けられ、シャフト支持孔の斜下方に略細長孔状の押圧片出没孔３３が設けられている。
【００３２】
しかも、後部ケース２の後面がわにあっては、シャフト支持孔の斜上方に軸ピンを介して揺動部材１０が上下方向に揺動自在に装着され、シャフト支持孔の側方に軸ピンを介して逆転防止爪片１１が左右方向に揺動自在に装着されている。
【００３３】
前記後部取付盤３は、例えば、取付ネジ等によって後部ケース２の後面中央部分に固定され、その中央部に略円孔状のシャフト支持孔が設けられ、このシャフト支持孔の側方にコイン押え１４が前後方向に揺動自在となるよう装着される。
【００３４】
回転用摘み５は、例えば、適宜合成樹脂材によって構成され、児童でも回転操作し易いように比較的大きく形成されている。
【００３５】
回転シャフト６は、例えば、一部を面取りしたような適宜金属製の丸棒状に形成され、ケースを前後方向で貫通するように配されていると共に、前部ケース１のシャフト支持孔２２や、後部ケース２のシャフト支持孔や、後部取付盤３のシャフト支持孔等で回転自在に支持されている。
【００３６】
返却用作動体７は、例えば、略逆三角板状の基板２５と、この基板２５の後面がわ上部左右に突設される一対の脚杆２６と、基板２５の後面がわ下部に突設される突出し杆２７と、基板２５の前面がわ中央に突設される押ボタン２９とを備え、前部ケース１と後部ケース２との間に介装されて、前後方向に摺動自在となるように形成されている。
【００３７】
しかも、脚杆２６に外装されると共に、基板２５と後部ケース２との間に縮装される弾発スプリング２８によって、押ボタン２９が前部ケース１のボタン挿通孔２３からケース前方に常時突出するように弾発力が付勢されている。
【００３８】
また、前記突出し杆２７は、弾発スプリング２８の弾発力に抗して押ボタン２９を後方に押込むことによって、後部ケース２の突出し杆出没孔３４から後方に突出するように形成されている。
【００３９】
コイン排出用押圧体８は、例えば、丸軸状の取付軸３０と、この取付軸３０に連設される傾斜面を有する略矩形板状に形成される押圧片３１とからなり、前部ケース１と後部ケース２との間に介装されて、前後方向に摺動自在となるように形成されている。しかも、取付軸３０に外装される弾発スプリング３２によって、押圧片３１の一部が後部ケース２の押圧片出没孔３３から後方に常時突出するように弾発力が付勢されている。
【００４０】
コイン収容回転盤９は、例えば、後部ケース２と後部取付盤３の間に配されると共に、回転シャフト６と共に回転するように形成されており、適宜金属製で略円盤状となる基盤に、略Ｕ字状となる第一収容部３５と、この第一収容部３５より稍大きい略Ｕ字状となる第二収容部３６とを前後方向（厚み方向）で重なるように切設し、基盤の中央に回転シャフト６に固定するためのシャフト嵌合孔３７を穿設し、基盤の外周部に一つの回転阻止用突起３８と、複数の係止爪３９とを設けて形成されている。
尚、第一収容部３５と第二収容部３６は、その下部の一部が合致するように構成されており、小径コインが第二収容部３６に収まった時に、コイン押圧突起５１に押圧されて第一収容部３５内にスムーズに移動できるように形成してある。
また、回転阻止用突起３８は、コイン収容回転盤９の回転方向に於いて第一収容部３５と第二収容部３６の直ぐ後に配置されており、所定のコイン以外が投入された時に揺動部材１０の先端部分に当接して、コイン収容回転盤９の回転を確実に阻止するように形成されている。
【００４１】
揺動部材１０は、例えば、適宜金属製で略厚板状に形成されており、後部ケース２の後面がわに軸ピンを介して装着されており、その先端部分が上下方向に揺動自在となるように形成されている。更に、揺動部材１０には、弾発スプリング４２の弾発力が常時付勢されており、揺動部材１０の先端部分がコイン収容回転盤９がわに向って（下方に向って）常時揺動するように構成されている。しかも、揺動部材１０の先端から下縁部分に於いて、略円弧状の第一段部４０と、この第一段部４０より曲率半径の大きい略円弧状の第二段部４１とが形成されている。
尚、第一段部４０は、第一収容部３５に収容されている小径コインの外周縁がスムーズに摺接するように形成され、第二段部４１は、第二収容部３６に収容されている大径コインの外周縁がスムーズに摺接するように形成されている。
【００４２】
逆転防止爪片１１は、例えば、適宜金属材で形成されており、後部ケース２の後面がわに軸ピンを介して装着されている。更に、逆転防止爪片１１には、弾発スプリング４３の弾発力が常時付勢されており、逆転防止爪片１１の先端部分がコイン収容回転盤９がわに向って常時揺動するように構成され、コイン収容回転盤９の係止爪３９に係脱自在に係止されることによって、コイン収容回転盤９の逆回転を確実に防止できるように構成されている。
【００４３】
前がわコイン制御板１２は、例えば、適宜合成樹脂材で形成されており、後部ケース２の後面がわ上部に装着されて、所定の範囲内で前後方向に移動できるように形成されている。
更に、前がわコイン制御板１２は、例えば、上部の略矩形板状部分と、下部の略Ｕ字板状部分とからなり、矩形板状部分の左右には、返却用作動体７の脚杆２６が遊挿され、略Ｕ字板状部分には、突起通過孔４６が穿設されている。
しかも、後部ケース２の上部後面と前がわコイン制御板１２前面との間には弾発スプリング４７が縮装されており、この弾発スプリング４７の弾発力が前がわコイン制御板１２を常時後方に移動せしめるよう付勢している。
尚、略Ｕ字板状部分は、コイン収容回転盤９の第一収容部３５及び第二収容部３６を臨むように配されていると共に、第二収容部３６に接近した状態に配されていて、コイン投入口２０から投入されたコインが第二収容部３６から後方に落下しないように形成してある。
【００４４】
後がわコイン制御板１３は、例えば、適宜合成樹脂材で形成されており、前がわコイン制御板１２に合致するように、上部の略矩形板状部分と、下部の略Ｕ字板状部分とからなっている。
そして、矩形板状部分の左右には、返却用作動体７の脚杆２６先端(後端)部分が固定されて、返却用作動体７と共に前後方向に移動するように形成され、更に、矩形板状部分の中央には、磁石５０が内装され、略Ｕ字板状部分には、コイン押圧突起５１が装着されている。
しかも、コイン押圧突起５１には、弾発スプリング５２の弾発力が常時付勢されており、コイン押圧突起５１を前方に常時移動させて、前がわコイン制御板１２の突起通過孔４６から前方に突出するように形成してある。
すなわち、このコイン押圧突起５１がコイン収容回転盤９の第一収容部３５或いは第二収容部３６に収容されているコインを前方に軽く圧迫できるようにする第一コイン圧迫手段となっている。
尚、通常は後がわコイン制御板１３は前がわコイン制御板１２に密接している。しかも、弾発スプリング２８の弾発力と弾発スプリング４７の弾発力とでは、弾発スプリング２８の弾発力の方が強いため、後がわコイン制御板１３が弾発スプリング４７の弾発力に抗して前がわコイン制御板１２を前方に押圧し、前がわコイン制御板１２下部の略Ｕ字板状部分が第二収容部３６の後方開放部分を塞ぐように位置している。
【００４５】
コイン押え１４は、例えば、適宜金属材で形成されており、後部取付盤３の後面がわに取付片５５を介して装着されている。そして、その先端部分が前後方向に揺動自在となるように形成されている。しかも、コイン押え１４には、弾発スプリング５６の弾発力が常時付勢されており、コイン押え１４の先端部分を前方に常時移動させられるように形成してある。すなわち、このコイン押え１４がコイン収容回転盤９の第一収容部３５或いは第二収容部３６に収容されているコインを前方に圧迫できるようにする第二コイン圧迫手段となっている。
【００４６】
図中６０は、回転シャフト６の後端部分に固着される連繋歯車で、この連繋歯車６０は、コイン収容回転盤９が一回転したときに、カプセル入り玩具の適宜供給機構を作動させて、一つ（或いは複数でも良い）のカプセル入玩具が自動販売機の取出し口から取出せるようにしたものである。
また、図中６１は、回転シャフト６の後端部分に外装される略短円筒状のカラーである。
【００４７】
ところで、コイン投入装置の具体的構成、ケースの具体的構成、形状、寸法、材質、前部ケース１の具体的構成、形状、寸法、材質、後部ケース２の具体的構成、形状、寸法、材質、後部取付盤３の具体的構成、形状、寸法、材質、配設位置、回転用摘み５の具体的構成、形状、寸法、材質、回転シャフト６の具体的構成、形状、寸法、材質、配設位置、返却用作動体７の具体的構成、形状、寸法、材質、配設位置、コイン排出用押圧体８の具体的構成、形状、寸法、材質、数、配設位置、コイン収容回転盤９の具体的構成、形状、寸法、材質、配設位置、揺動部材１０の具体的構成、形状、寸法、材質、配設位置、逆転防止爪片１１の具体的構成、形状、寸法、材質、配設位置、前がわコイン制御板１２の具体的構成、形状、寸法、材質、配設位置、後がわコイン制御板１３の具体的構成、形状、寸法、材質、配設位置、コイン押え１４の具体的構成、形状、寸法、材質、数、配設位置、コイン投入口２０の具体的構成、形状、寸法、配設位置、返却口２１の具体的構成、形状、寸法、配設位置、シャフト支持孔２２の具体的構成、形状、寸法、配設位置、ボタン挿通孔２３の具体的構成、形状、寸法、配設位置、基板２５の具体的構成、形状、寸法、材質、配設位置、脚杆２６の具体的構成、形状、寸法、材質、数、配設位置、突出し杆２７の具体的構成、形状、寸法、材質、数、配設位置、弾発スプリング２８の具体的構成、形状、寸法、材質、数、配設位置、押ボタン２９の具体的構成、形状、寸法、材質、配設位置、取付軸３０の具体的構成、形状、寸法、材質、配設位置、押圧片３１の具体的構成、形状、寸法、材質、配設位置、弾発スプリング３２の具体的構成、形状、寸法、材質、数、配設位置、押圧片出没孔３３の具体的構成、形状、寸法、配設位置、突出し杆出没孔３４の具体的構成、形状、寸法、配設位置、第一収容部３５の具体的構成、形状、寸法、配設位置、第二収容部３６の具体的構成、形状、寸法、配設位置、シャフト嵌合孔３７の具体的構成、形状、寸法、配設位置、回転阻止用突起３８の具体的構成、形状、寸法、材質、配設位置、回転阻止用突起３８の具体的構成、形状、寸法、材質、数、配設位置、係止爪３９の具体的構成、形状、寸法、材質、数、配設位置、第一段部４０の具体的構成、形状、寸法、配設位置、第二段部４１の具体的構成、形状、寸法、配設位置、弾発スプリング４２の具体的構成、形状、寸法、材質、配設位置、脚杆挿通孔４５の具体的構成、形状、寸法、数、配設位置、突起通過孔４６の具体的構成、形状、寸法、配設位置、弾発スプリング４７の具体的構成、形状、寸法、材質、数、配設位置、磁石５０の具体的構成、形状、寸法、材質、数、配設位置、コイン押圧突起５１の具体的構成、形状、寸法、材質、数、配設位置、弾発スプリング５２の具体的構成、形状、寸法、材質、配設位置、取付片５５の具体的構成、形状、寸法、材質、配設位置、弾発スプリング５６の具体的構成、形状、寸法、材質、数、配設位置、連繋歯車６０の具体的構成、形状、寸法、材質、配設位置、カラー６１の具体的構成、形状、寸法、材質、数、配設位置等は、図示例のもの等に限定されることなく適宜自由に設定、変更できるものである。
【００４８】
本発明のコイン投入装置は、前述の如く構成されており、次にその使用例について説明すると、先ず、一つのコイン投入口２０から所定の小径コインを投入すると、小径コインは、後部ケース２後面のコイン案内路を通過してコイン収容回転盤９の第一収容部３５に収容される。このとき、小径コインは、第一コイン圧迫手段のコイン押圧突起５１と弾発スプリング５２によって弾性的に前方がわに圧迫されることで、第一収容部３５内に確実に納まるようになる。尚、小径コインが第二収容部３６がわに落下しても、第二収容部３６及び第一収容部３５の下縁部分の一部が合致していることと、コイン押圧突起５１及び弾発スプリング５２によって前方に押圧されることとによって、小径コインが第一収容部３５内に確実に且つスムーズに納まるようになる。
【００４９】
次に、回転用摘み５をカプセル入玩具用自動販売機の正面がわから見て右回転させると、回転シャフト６と共にコイン収容回転盤９が回転し、小径コインの外周縁が揺動部材１０の第一段部４０の先端がわに当接して、揺動部材１０を弾発スプリング４２の弾発力に抗して上方に僅かに揺動させ、この揺動状態の侭小径コインの外周縁が第一段部４０を摺接しながら、後続の係止爪３９が揺動部材１０の先端部分に当接することなく通過するようになる。
【００５０】
尚、小径コインは、コイン収容回転盤９の回転によって第一コイン圧迫手段（コイン押圧突起５１と弾発スプリング５２）の圧迫力が解除された後、第二コイン圧迫手段のコイン押え１４と弾発スプリング５６によって弾性的に前方がわに圧迫されるようになり、少なくとも小径コインの外周縁が第一段部４０を摺接している間は、第一収容部３５内に確実に且つ安定的に納まるようになる。
【００５１】
その後、コイン収容回転盤９の回転が進んで、小径コインの外周縁の第一段部４０の摺接状態が解除されると、弾発スプリング３２の弾発力が解放されて押圧片３１が押圧片出没孔３３を介して後部ケース２後面がわに突出する。すると、第一収容部３５に収まっている小径コインは、前方がわから突き出されて、自動販売機内の所定位置に落下、収納されるようになる。
【００５２】
また、一つのコイン投入口２０から所定の大径コインを投入すると、大径コインは、後部ケース２後面のコイン案内路を通過してコイン収容回転盤９の第二収容部３６に収容される。このとき、大径コインは、第一コイン圧迫手段のコイン押圧突起５１と弾発スプリング５２によって弾性的に前方がわに圧迫されることで、第二収容部３６内に確実に納まるようになる。尚、大径コインは、第一収容部３５より大きいため、第一収容部３５内に収容されることはない。
【００５３】
次に、回転用摘み５をカプセル入玩具用自動販売機の正面がわから見て右回転させると、回転シャフト６と共にコイン収容回転盤９が回転し、大径コインの外周縁が揺動部材１０の第二段部４１の先端がわに当接して、揺動部材１０を弾発スプリング４２の弾発力に抗して上方に僅かに揺動させ、この揺動状態の侭大径コインの外周縁が第二段部４１を摺接しながら、後続の係止爪３９が揺動部材１０の先端部分に当接することなく通過するようになる。
【００５４】
尚、大径コインは、コイン収容回転盤９の回転によって第一コイン圧迫手段（コイン押圧突起５１と弾発スプリング５２）の圧迫力が解除された後、第二コイン圧迫手段のコイン押え１４と弾発スプリング５６によって弾性的に前方がわに圧迫されるようになり、少なくとも大径コインの外周縁が第二段部４１を摺接している間は、第二収容部３６内に確実に且つ安定的に納まるようになる。
【００５５】
その後、コイン収容回転盤９の回転が進んで、大径コインの外周縁の第二段部４１の摺接状態が解除されると、弾発スプリング３２の弾発力が解放されて押圧片３１が押圧片出没孔３３を介して後部ケース２後面がわに突出する。すると、第二収容部３６に収まっている大径コインは、前方がわから突き出されて、自動販売機内の所定位置に落下、収納されるようになる。
【００５６】
更に、コイン投入口２０から所定寸法以外のコイン等（誤コイン、或いは、不正コイン等）を投入した場合は、このコインは、後部ケース２後面のコイン案内路を通過してコイン収容回転盤９の第一収容部３５或いは第二収容部３６に収容される。このとき、このコインは、第一コイン圧迫手段のコイン押圧突起５１と弾発スプリング５２によって弾性的に前方がわに圧迫されることで、第一収容部３５或いは第二収容部３６内に納まるようになる。
【００５７】
次に、回転用摘み５をカプセル入玩具用自動販売機の正面がわから見て右回転させると、回転シャフト６と共にコイン収容回転盤９が回転し、コインの外周縁が揺動部材１０の第二段部４１の先端がわに当接して、揺動部材１０を弾発スプリング４２の弾発力に抗して上方に僅かに揺動させ、この揺動状態の侭大径コインの外周縁が第一段部４０或いは第二段部４１を摺接するが、揺動部材１０の揺動量が足りず、後続の係止爪３９が揺動部材１０の先端部分に当接して、コイン収容回転盤９の回転が確実に阻止される。
【００５８】
そのため、このコインを返却口２１に戻すには、コイン収容回転盤９を最初の位置に戻してから（或いは、戻さなくても良い）、返却手段を作動する。すなわち、返却用作動体７の押ボタン２９を弾発スプリング２８の弾発力に抗して後方に押圧する。すると、後がわコイン制御板１３が後方に移動すると共に、前がわコイン制御板１２が弾発スプリング４７の弾発力によって後方に僅かに移動して、第一収容部３５及び第二収容部３６の後方開放部分から前がわコイン制御板１２が離れ、その部分にコイン通過空間が形成されるようになる。同時に、突出し杆２７が突出し杆出没孔３４を介して後部ケース２後面がわに突出して、第一収容部３５或いは第二収容部３６のコインを突き出して、前記コイン通過空間を介してコインを下方に落下させ、返却口２１にコインが戻るようになる。
【００５９】
そして、コイン投入口２０から磁着性のあるコイン（鉄製コイン）等を投入した場合は、このコインは、後部ケース２後面のコイン案内路を通過する際に、後がわコイン制御板１３の磁石５０の磁力によって前がわコイン制御板１２の前面がわに吸着される。
【００６０】
そして、このコインを返却口２１に戻すには、前記と同様に返却手段を作動する。すなわち、返却用作動体７の押ボタン２９を弾発スプリング２８の弾発力に抗して後方に押圧する。すると、後がわコイン制御板１３が後方に移動し、前がわコイン制御板１２が弾発スプリング４７の弾発力によって後方に僅かに移動し、前がわコイン制御板１２と後がわコイン制御板１３との間隔が大きくなって、前がわコイン制御板１２の前面がわにあるコインに対する磁石５０の磁力が低下して、コインを落下させ、返却口２１にコインが戻るようになる。このとき、第一収容部３５及び第二収容部３６には、突出し杆２７が突き出しているので、落下したコインが第一収容部３５や第二収容部３６に収まることがない。
【図面の簡単な説明】
【００６１】
【図１】本発明のコイン投入装置を用いた自動販売機を例示する斜視図である。
【図２】本発明のコイン投入装置を例示する分解斜視図である。
【図３】本発明のコイン投入装置を例示する一部切欠側面図である。
【図４】本発明のコイン投入装置の作動状態を例示する一部切欠背面図である。
【図５】本発明のコイン投入装置の作動状態を例示する一部切欠背面図である。
【図６】本発明のコイン投入装置の作動状態を例示する一部切欠背面図である。
【図７】本発明のコイン投入装置の作動状態を例示する一部切欠背面図である。
【図８】本発明のコイン投入装置を例示する部分側断面図である。
【図９】本発明のコイン投入装置を例示する部分側断面図である。
【図１０】本発明のコイン投入装置を例示する部分断面図である。
【符号の説明】
【００６２】
１      前部ケース            ２      後部ケース
３      後部取付盤
５      回転用摘み            ６      回転シャフト
７      返却用作動体          ８      コイン排出用押圧体
９      コイン収容回転盤      １０    揺動部材
１１    逆転防止爪片          １２    前がわコイン制御板
１３    後がわコイン制御板    １４    コイン押え
２０    コイン投入口          ２１    返却口
２２    シャフト支持孔        ２３    ボタン挿通孔
２５    基板                  ２６    脚杆
２７    突出し杆              ２８    弾発スプリング
２９    押ボタン
３０    取付軸                ３１    押圧片
３２    弾発スプリング        ３３    押圧片出没孔
３４    突出し杆出没孔
３５    第一収容部            ３６    第二収容部
３７    シャフト嵌合孔        ３８    回転阻止用突起
３９    係止爪
４０    第一段部              ４１    第二段部
４２    弾発スプリング
４５    脚杆挿通孔            ４６    突起通過孔
４７    弾発スプリング
５０    磁石                  ５１    コイン押圧突起
５２    弾発スプリング
５５    取付片                ５６    弾発スプリング
６０    連繋歯車              ６１    カラー
【図１】
2006244210.tif 000003
【図２】
2006244210.tif 000004
【図３】
2006244210.tif 000005
【図４】
2006244210.tif 000006
【図５】
2006244210.tif 000007
【図６】
2006244210.tif 000008
【図７】
2006244210.tif 000009
【図８】
2006244210.tif 000010
【図９】
2006244210.tif 000011
【図１０】
2006244210.tif 000012